(57)【要約】【課題】ランプを取付部より脱落させることなく、ソケット本体と締付筒を確実に勘合させることができるようにする。【解決手段】ランプ２００を装着するランプ受部１２、このランプ受部の外側に防水パッキン受部１１、及びこの防水パッキン受部１１の外側に差込穴１５を有するソケット本体１と、ソケット本体１の差込穴１５へ差し込まれてこのソケット本体１に固定される係止手段３０Ａを有し、ランプ２００の端部外周面を覆う締付筒３と、ランプ２００が挿通可能なリング形状を呈し、締付筒３とソケット本体１との間に配置され、締付筒３をソケット本体１に固定したとき、ソケット本体１のランプ受部１２と締付筒３とで圧縮されてランプ２００の外周面に密着する防水パッキン２と、を備え、締付筒３を回転させず、ソケット本体１側に直線的に進出させ固定する。【選択図】図４
2011258344.tif 000002
【特許請求の範囲】
【請求項１】
ランプを装着するランプ受部、このランプ受部の外側に防水パッキン受部、及びこの防水パッキン受部の外側に差込穴を有するソケット本体と、
前記ソケット本体の前記差込穴へ差し込まれて該ソケット本体に固定される係止手段を有し、前記ランプの端部外周面を覆う締付筒と、
前記ランプが挿通可能なリング形状を呈し、前記締付筒と前記ソケット本体との間に配置され、前記締付筒を前記ソケット本体に固定したとき、前記ソケット本体の前記ランプ受部と前記締付筒とで圧縮されて前記ランプの外周面に密着する防水パッキンと、
を備えることを特徴とする防水型ランプソケット。
【請求項２】
前記差込穴は、前記ソケット本体の筒部外側に周方向等間隔に複数形成され、
前記係止手段は、前記差込穴に対応させて前記締付筒の筒部外側に周方向等間隔に複数設置されて軸方向に延びる足と、これら足の先端にそれぞれ形成されたＬ字型の係止爪とにより構成されていることを特徴とする請求項１記載の防水型ランプソケット。
【請求項３】
前記差込穴は、前記ソケット本体の筒部外側に周方向等間隔に複数形成され、
前記係止手段は、前記差込穴に対応させて前記締付筒の筒部外側に周方向等間隔に複数設置されて軸方向に延びる足と、これら足の先端にそれぞれ形成された円錐状の係止爪とを有し、該円錐状の係止爪の円錐底面部の直径が、前記ソケット本体側の前記差込穴の内径よりも大きい径に構成されていることを特徴とする請求項１記載の防水型ランプソケット。
【請求項４】
ランプを装着するランプ受部、このランプ受部の外側に防水パッキン受部、及びこの防水パッキン受部の外側に係止手段を有するソケット本体と、
前記ソケット本体の前記係止手段に差し込まれることで、前記ソケット本体に固定される差込穴を有し、前記ランプの端部外周面を覆う締付筒と、
前記ランプが挿通可能なリング形状を呈し、前記締付筒と前記ソケット本体との間に配置され、前記締付筒を前記ソケット本体に固定したとき、前記ソケット本体の前記ランプ受部と前記締付筒とで圧縮されて前記ランプの周面に密着する防水パッキンと、
を備えることを特徴とする防水型ランプソケット。
【請求項５】
前記係止手段は、前記ソケット本体の筒部外側に周方向等間隔に複数設置されて軸方向に延びる足と、これら足の先端にそれぞれ形成されたＬ字型の係止爪とにより構成され、
前記差込穴は、前記係止手段に対応させて前記締付筒の筒部外側に周方向等間隔に複数形成されていることを特徴とする請求項４記載の防水型ランプソケット。
【請求項６】
前記係止手段は、前記ソケット本体の筒部外側に周方向等間隔に複数設置されて軸方向に延びる足と、これら足の先端にそれぞれ形成された円錐状の係止爪とを備え、
前記差込穴は、前記係止手段に対応させて前記締付筒の筒部外側に周方向等間隔に複数形成されており、
前記係止手段の前記該円錐状の係止爪の円錐底面部の直径が、前記締付筒側の前記差込穴の内径よりも大きい径に構成されていることを特徴とする請求項４記載の防水型ランプソケット。
【請求項７】
請求項１乃至請求項６のいずれかに記載の防水型ランプソケットを用いた照明器具。
【発明の詳細な説明】
【技術分野】
【０００１】
本発明は、ランプを取付部より脱落させることなく、ソケット本体と締付筒を確実に勘合させることができる防水型ランプソケットに関する。
【背景技術】
【０００２】
従来のこの種の防水型ランプソケットは、ソケット本体の筒の外周面に雄ねじ部が形成された螺合部が有り、締付筒の内周面にソケット本体の雄ねじ部と螺合する雌ねじ部が有り、これらの間に防水パッキンを配置して、両ねじ部の螺合によって締付筒をソケット本体に取り付けるようにしていた(例えば、特許文献１及び特許文献２参照）。
【先行技術文献】
【特許文献】
【０００３】
【特許文献１】特開２００１−５２８３０号公報（３頁左欄３０行目〜右欄７行目、図３参照。）
【特許文献２】特開平１１−３５４２３５号公報（２頁右欄２９行目〜右欄５０行目、図３参照。）
【発明の概要】
【発明が解決しようとする課題】
【０００４】
しかしながら、螺合取付方式を用いた従来の防水型ランプソケットにおいては、ソケット本体と締付筒を螺合させる際、完全に螺合させず中途半端の位置で螺合を止めてしまうこともできる構造であるため、照明器具の設置場所によっては、完全に螺合したか判別しにくいという難点があり、作業者の熟練度を要していた。
【０００５】
また、ソケット本体と締付筒が完全に螺合していなければ、防水パッキンがランプの周辺に密着せず、更にソケット本体のランプ受部と締付筒による圧縮力が弱くなることで、防水性能の低下に繋がっていた。
【０００６】
また、防水パッキンは、圧縮させることにより防水性能を維持させるものであり、弾力性のある材料で構成されている。そのため、締付筒を螺合させる際に、その弾力性のある防水パッキンがランプに触れ、ランプを外す方向の力が加わってランプが回転し、ランプピン装着部からランプピンが外れる場合があった。更に、このようにランプピン装着部からランプピンが外れる異常時においても、ソケット本体に締付筒を螺合させることができるため、そのことに気づかされないという問題があった。
【０００７】
本発明の技術的課題は、ランプを取付部より脱落させることなく、ソケット本体と締付筒を確実に勘合させることができるようにすることにある。
【課題を解決するための手段】
【０００８】
本発明に係る防水型ランプソケットは、ランプを装着するランプ受部、このランプ受部の外側に防水パッキン受部、及びこの防水パッキン受部の外側に差込穴を有するソケット本体と、ソケット本体の差込穴へ差し込まれてこのソケット本体に固定される係止手段を有し、ランプの端部外周面を覆う締付筒と、ランプが挿通可能なリング形状を呈し、締付筒とソケット本体との間に配置され、締付筒をソケット本体に固定したとき、ソケット本体のランプ受部と締付筒とで圧縮されてランプの外周面に密着する防水パッキンと、を備えるものである。
【発明の効果】
【０００９】
本発明の防水型ランプソケットにおいては、締付筒とソケット本体との間に防水パッキンが配置されるように締付筒と防水パッキンを予めランプに挿着しておき、この状態でランプをソケット本体に取り付け、締付筒側の係止手段をソケット本体側の差込穴へ係合するまで差し込み、締付筒をソケット本体に固定する。これにより、防水パッキンがソケット本体のランプ受部と締付筒とで圧縮されてランプの外周面に密着することで、防水機能を発現する。このように、締付筒を回転させず、ソケット本体側に直線的に進出させ固定するため、締付筒をソケット本体に取り付ける際、防水パッキンがランプに触れてもこれを回転させるようなことはなく、ランプピン装着部からランプピンが外れることがなくなる。
【図面の簡単な説明】
【００１０】
【図１】本発明の実施の形態１に係る防水型ランプソケットを用いた照明器具を示す斜視図である。
【図２】本発明の実施の形態１に係る防水型ランプソケットの組立体を示す斜視図である。
【図３】本発明の実施の形態１に係る防水型ランプソケットの分解図である。
【図４】本発明の実施の形態１に係る防水型ランプソケットの分解斜視図である。
【図５】本発明の実施の形態１に係る防水型ランプソケットの勘合部を示す断面図である。
【図６】本発明の実施の形態２に係る防水型ランプソケットの勘合部を示す断面図である。
【図７】本発明の実施の形態３に係る防水型ランプソケットの分解斜視図である。
【発明を実施するための形態】
【００１１】
実施の形態１．
図１は本発明の実施の形態１に係る防水型ランプソケットを用いた照明器具を示す斜視図、図２はその防水型ランプソケットの組立体を示す斜視図、図３はその分解図、図４はその分解斜視図、図５はその勘合部を示す断面図である。
【００１２】
まず、図１のように照明器具１０００は、器具本体と１００と、器具本体１００の長手方向両端にそれぞれ配置されてランプ２００が着脱可能に取り付けられる防水型ランプソケット３００とを備えている。
【００１３】
防水型ランプソケット３００は、ソケット本体１と、防水パッキン２と、締付筒３とを有する。
【００１４】
ソケット本体１は、合成樹脂で構成され、ランプ２００を装着するためのランプ受部１２と、ランプ受部１２の内部に収納されてランプ２００のランプピンが装着されるランプピン装着部１３（詳細は図示せず）と、ランプ受部１２の外側に形成された筒状の防水パッキン受部１１と、防水パッキン受部１１の外側、つまり筒部外側に周方向等間隔に複数（ここでは２つ）形成された差込穴１５とを有する。
【００１５】
ランプ受部１２は、ランプ２００のランプピンが挿入され、ランプピン装着部１３までランプピンの挿入をガイドするランプピン挿入溝１４を有する。
【００１６】
ランプピン装着部１３は、ここではランプピンの側面を挟み込んで接触させ給電する方式のものを採用している。しかし、この接触方式に限定されるものでなく、例えばランプピンをランプピン挿入溝に通し、ランプピンを回動することにより、ランプ受部を回転させてランプピンをランプピン装着部に接触させ給電する回転方式のものを採用することも可能である。
【００１７】
防水パッキン２は、ランプ２００を挿通可能なリング形状を呈し、締付筒３とソケット本体１との間に配置され、締付筒３をソケット本体１に固定したとき、ソケット本体１のランプ受部１２と締付筒３とで圧縮されて内周側がランプ２００の外周面に密着することで、防水機能を発現するものである。
【００１８】
締付筒３は、弾性のある熱可塑性樹脂で構成され、両端が開口してソケット本体１に接続されたランプ２００の端部外周面を覆う筒状に形成され、この筒部の外側に、ソケット本体１の差込穴１５へ差し込まれて固定される係止手段３０Ａが設置されている。
【００１９】
係止手段３０Ａは、周方向等間隔に複数（ここでは２つ）設置されて軸方向に延びる足３１と、これら足３１の先端にそれぞれ形成された外向きＬ字型の係止爪３２とにより構成されており、これら係止爪３２を、ソケット本体１側の差込穴１５を貫通させて、差込穴１５の貫通端側エッジと係合させることで、足３１と差込穴１５との係合状態、すなわちソケット本体１への締付筒３の固定状態を保持できるようになっている。
【００２０】
本実施の形態の防水型ランプソケットにおいて、ソケット本体１への防水パッキン２と締付筒３の取り付けは次のように行われる。まず、図４のように締付筒３とソケット本体１との間に防水パッキン２が配置されるように締付筒３と防水パッキン２を予めランプ２００に挿着しておき、この状態でランプ２００をソケット本体１に取り付ける。次いで、締付筒３側の足３１を筒状の中心側（反係合方向）へ撓ませながら、ソケット本体１の差込穴１５へ挿入し、そのまま係止爪３２がスプリングバックによって差込穴１５の貫通端側エッジと係合するまで押し込む。これにより、図５のように締付筒３がソケット本体１に固定され、防水パッキン２がソケット本体１のランプ受部１２と締付筒３とで圧縮されてランプ２００の外周面に密着することで、防水機能を発現する。このように、締付筒３を回転させず、ソケット本体１側に直線的に進出させることで固定するため、締付筒３をソケット本体１に取り付ける際、防水パッキン２がランプに触れてもこれを回転させるようなことはなく、ランプピン装着部１３からランプピンが外れることがなくなる。
【００２１】
また、締付筒３とソケット本体１との係合部、すなわち締付筒３の各足３１及び係止爪３２とソケット本体１の各差込穴１５を、それぞれの筒部外側に配置しているので、締付筒３の各足３１の係止爪３２がソケット本体１の各差込穴１５の貫通端側エッジに確実に係合しているか否かを一目で判別することができる。
【００２２】
また、ソケット本体１及び締付筒３は、ねじ螺合部を有していないため、樹脂の成形金型費を節減することができる。
【００２３】
また、ソケット本体１への締付筒３の取り付けに際し、締付筒３を回転させる必要がないため、防水パッキン２がランプ２００の外周面に密着してもこれを外す方向（回転方向）の力が加わることがなく、ランプピン装着部１３からランプピンが抜けることがなくなる。このため、従来必要であった座金等の摩擦低減部材を不要とすることができ、延いてはこの防水型ランプソケットを用いた照明器具の安全性、信頼性を高め、かつコストを削減することができる。
【００２４】
また、本実施の形態の防水型ランプソケットにおいては、ランプピンがランプピン装着部１３から抜けた状態下では芯ずれを起こし、締付筒３をソケット本体１に勘合させようとしても、差込穴１５と足３１の位置がずれ、勘合することができなくなる。このため、芯ずれによる不具合を未然に防止することができる。
【００２５】
また、締付筒３側の足３１をソケット本体１側の差込穴１５へ差し込むだけで、ワンタッチで取り付けることができるので、従来の螺合取付方式と比べて作業時間が短縮され、コストダウンとなる。
【００２６】
また、締付筒３側に足３１と係止爪３２を設けているため、誤って係止爪３２を折った場合、締付筒３のみを交換すればよいので、保守が容易である。
【００２７】
実施の形態２．
図６は本発明の実施の形態２に係る防水型ランプソケットの勘合部を示す断面図であり、図中、前述の実施の形態１のものと同一機能部分には同一符号を付して説明を省略し、相違点を中心に説明する。
【００２８】
本実施の形態の防水型ランプソケットは、図６に示すように、ソケット本体１の差込穴１５に対応させて締付筒３に設けた係止手段３０Ｂの係止爪３３の形状が前述の実施の形態１のものと異なっている。
【００２９】
すなわち、係止手段３０Ｂは、ソケット本体１側の差込穴１５に対応させて締付筒３の筒部外側に周方向等間隔に複数設置されて軸方向に延びる足３１と、これら足３１の先端にそれぞれ形成された円錐状の係止爪３３とを有し、円錐状の係止爪３３の円錐底面部の直径が、ソケット本体１側の差込穴１５の内径よりも大きい径に構成されたものである。それ以外の構成は前述の実施の形態１のものと同様であり、実施の形態１のもつ基本機能は全て有しているものである。
【００３０】
本実施の形態の防水型ランプソケットにおいては、前述の実施の形態１のもつ効果に加え、係止爪３３の先端円錐部の調心作用により、ソケット本体１側の差込穴１５への足３１の差込み時、係止爪３３が足３１のガイドとして機能する。また、差込み後は、差込穴１５の内径よりも大きい径に構成されている係止爪３３の円錐底面部が、差込穴１５の貫通端側エッジと係合するので、ソケット本体１へ締付筒３をしっかりと固定することができ、延いてはこの防水型ランプソケットを用いた照明器具の安全性、信頼性を高めることができる。
【００３１】
実施の形態３．
図７は本発明の実施の形態３に係る防水型ランプソケットの分解斜視図であり、図中、前述の実施の形態１のものと同一機能部分には同一符号を付して説明を省略し、相違点を中心に説明する。なお、説明にあたっては前述の図１を参照するものとする。
【００３２】
本実施の形態の防水型ランプソケットは、図７に示すように、ソケット本体１ａ側に係止手段３０Ａが設けられ、締付筒３ａ側に差込穴１５ａが設けられている点、つまり係止手段３０Ａと差込穴１５ａの設置位置関係が前述の各実施の形態のものとは逆の関係になっている点が前述の各実施の形態のものと異なっている。
【００３３】
これを更に詳述すると、ソケット本体１ａは、弾性のある熱可塑性樹脂で構成され、ランプ２００を装着するためのランプ受部１２と、ランプ受部１２の内部に収納されてランプ２００のランプピンが装着されるランプピン装着部１３（詳細は図示せず）と、ランプ受部１２の外側に形成された筒状の防水パッキン受部１１と、防水パッキン受部１１の外側、つまり筒部外側に設置された係止手段３０Ａとを備えている。係止手段３０Ａは、周方向等間隔に複数（ここでは２つ）設置されて軸方向に延びる足３１ａと、これら足３１ａの先端にそれぞれ形成された外向きＬ字型の係止爪３２ａとにより構成されている。
【００３４】
締付筒３は、合成樹脂で構成され、両端が開口してソケット本体１に接続されたランプ２００の端部外周面を覆う筒状に形成され、この筒部の外側に周方向等間隔に複数（ここでは２つ）形成されてソケット本体１の足３１ａが差し込まれる差込穴１５ａが形成されている。それ以外の構成は前述の実施の形態１のものと同様である。
【００３５】
本実施の形態の防水型ランプソケットにおいて、ソケット本体１ａへの防水パッキン２と締付筒３ａの取り付けは次のように行われる。まず、図７のように締付筒３ａとソケット本体１ａとの間に防水パッキン２が配置されるように締付筒３ａと防水パッキン２を予めランプ２００に挿着しておき、この状態でランプ２００をソケット本体１ａに取り付ける。
【００３６】
次いで、ソケット本体１ａ側の足３１ａを筒状の中心側（反係合方向）へ撓ませ、その状態で各足３１ａに締付筒３ａ側の各差込穴１５ａを嵌め込ませ、そのまま係止爪３２ａがスプリングバックによって差込穴１５ａの貫通端側エッジと係合するまで締付筒３ａを押し込む。これにより、締付筒３ａがソケット本体１ａに固定され、防水パッキン２がソケット本体１ａのランプ受部１２と締付筒３ａとで圧縮されてランプ２００の外周面に密着することで、防水機能を発現する。このように、締付筒３ａを回転させず、ソケット本体１ａ側に直線的に進出させることで固定するため、締付筒３ａをソケット本体１ａに取り付ける際、防水パッキン２がランプに触れてもこれを回転させるようなことはなく、ランプピン装着部１３からランプピンが外れることがなくなる。
【００３７】
また、締付筒３ａとソケット本体１ａとの係合部、すなわち締付筒３ａの各差込穴１５ａとソケット本体１ａの各足３１ａ及び係止爪３２ａを、それぞれの筒部外側に配置しているので、締付筒３ａの各差込穴１５ａの貫通端側エッジがソケット本体１ａの各足３１ａの係止爪３２ａに確実に係合しているか否かを一目で判別することができる。
【００３８】
また、ソケット本体１ａ及び締付筒３ａは、ねじ螺合部を有していないため、樹脂の成形金型費を節減することができる。
【００３９】
また、ソケット本体１ａへの締付筒３ａの取り付けに際し、締付筒３ａを回転させる必要がないため、防水パッキン２がランプ２００の外周面に密着してもこれを外す方向（回転方向）の力が加わることがなく、ランプピン装着部１３からランプピンが抜けることがなくなる。このため、従来必要であった座金等の摩擦低減部材を不要とすることができ、延いてはこの防水型ランプソケットを用いた照明器具の安全性、信頼性を高め、かつコストを削減することができる。
【００４０】
また、本実施の形態の防水型ランプソケットにおいては、ランプピンがランプピン装着部１３から抜けた状態下では芯ずれを起こし、締付筒３ａをソケット本体１ａに勘合させようとしても、差込穴１５ａと足３１ａの位置がずれ、勘合することができなくなる。このため、芯ずれによる不具合を未然に防止することができる。
【００４１】
また、締付筒３ａ側の差込穴１５ａをソケット本体１ａ側の足３１ａに嵌め込ませ、押し込むだけで、ワンタッチで取り付けることができるので、従来の螺合取付方式と比べて作業時間が短縮され、コストダウンとなる。
【００４２】
実施の形態４．
前述の実施の形態３（図７）では、ソケット本体１ａ側の各足３１ａの係止爪３２ａを外向きＬ字型としたが、これを本実施の形態４の防水型ランプソケットでは、前述の実施の形態２（図６）で説明したような円錐状の係止爪としてもよい。すなわち、図７に示すソケット本体１ａ側の各足３１ａの先端にそれぞれ図６に示すような円錐状の係止爪３３ａを形成し、円錐状の係各止爪３３ａの円錐底面部の直径を、締付筒３ａ側の差込穴１５ａの内径よりも大きい径に構成する。
【００４３】
これにより、本実施の形態の防水型ランプソケットにおいては、前述の実施の形態３のもつ効果に加え、係止爪３３ａの先端円錐部の調心作用により、締付筒３ａ側の差込穴１５ａを足３１ａに嵌め込む際に、係止爪３３ａが締付筒３ａのガイドとして機能する。また、差込み後は、差込穴１５ａの内径よりも大きい径に構成されている係止爪３３ａの円錐底面部が、差込穴１５ａの貫通端側エッジと係合するので、ソケット本体１ａへ締付筒３ａをしっかりと固定することができ、延いてはこの防水型ランプソケットを用いた照明器具の安全性、信頼性を高めることができる。
【符号の説明】
【００４４】
１，１ａ  ソケット本体、２  防水パッキン、３，３ａ  締付筒、１１  防水パッキン受部、１２  ランプ受部、１３  ランプピン装着部、１４  ランプピン挿入溝、１５，１５ａ  差込穴、３０Ａ，３０Ｂ  係止手段、３１，３１ａ  足、３２，３２ａ  Ｌ字型の係止爪、３３，３３ａ  円錐状の係止爪、１００  器具本体、２００  ランプ、３００  防水型ランプソケット、１０００  照明器具。
【図１】
2011258344.tif 000003
【図２】
2011258344.tif 000004
【図３】
2011258344.tif 000005
【図４】
2011258344.tif 000006
【図５】
2011258344.tif 000007
【図６】
2011258344.tif 000008
【図７】
2011258344.tif 000009